(57)【要約】【課題】簡単な構成で室内の空気を除湿でき、調湿効果を持続させることができる調湿システムを提供する。【解決手段】本発明の調湿システムは、屋内空間に連通する区画室と、区画室の内部空間に配置された調湿材と、を備える。区画室は、屋内空間の空気を内部空間に流入させる第一の空気流入口と、内部空間の空気を屋内空間に放出する第一の空気放出口と、内部空間に連通する小屋裏空間の空気を内部空間に流入させる第二の空気流入口と、内部空間の空気を小屋裏空間又は屋外に放出する第二の空気放出口と、を有する。また、本発明の調湿システムは、屋内空間から内部空間への空気の流入を遮断する第一の遮断手段と、小屋裏空間から内部空間への空気の流入を遮断する第二の遮断手段と、をさらに備える。【選択図】図２
2017044381.tif 000002
【特許請求の範囲】
【請求項１】
建物の屋内空間の湿度を調整する調湿システムであって、
前記屋内空間に連通する区画室と、
前記区画室の内部空間に配置された調湿材と、を備え、
前記区画室は、前記屋内空間の空気を前記内部空間に流入させる第一の空気流入口と、前記内部空間の空気を前記屋内空間に放出する第一の空気放出口と、前記内部空間に連通する小屋裏空間の空気を前記内部空間に流入させる第二の空気流入口と、前記内部空間の空気を前記小屋裏空間又は屋外に放出する第二の空気放出口と、を有しており、
前記屋内空間から前記内部空間への空気の流入を遮断する第一の遮断手段と、
前記小屋裏空間から前記内部空間への空気の流入を遮断する第二の遮断手段と、をさらに備える、調湿システム。
【請求項２】
前記第一の遮断手段は、前記第一の空気流入口および前記第一の空気放出口を開閉する第一の開閉手段を含み、
前記第二の遮断手段は、前記第二の空気流入口および前記第二の空気放出口を開閉する第二の開閉手段を含み、
前記第一の開閉手段が開状態である場合は、前記第二の開閉手段が閉状態となり、前記第一の開閉手段が閉状態である場合は、前記第二の開閉手段が開状態となるように、前記区画室における空気の出入口を切替える切替制御部をさらに備える、請求項１に記載の調湿システム。
【請求項３】
前記第一の開閉手段は、前記第一の空気流入口および前記第一の空気放出口の何れか一方に、前記第一の空気流入口から前記第一の空気放出口に空気の流れを生じさせる第一の送風装置と、前記第一の空気流入口および前記第一の空気放出口の他方に、前記第一の送風装置に連動して開閉する第一の開閉弁と、を含み、
前記第二の開閉手段は、前記第二の空気流入口および前記第二の空気放出口の何れか一方に、前記第二の空気流入口から前記第二の空気放出口に空気の流れを生じさせる第二の送風装置と、前記第二の空気流入口および前記第二の空気放出口の他方に、前記第二の送風装置に連動して開閉する第二の開閉弁と、を含む、請求項２に記載の調湿システム。
【請求項４】
前記第一および第二の送風装置は、第一および第二のファンと、該第一および第二のファンに連動して開閉する第一および第二の開閉部と、をそれぞれ含む、請求項３に記載の調湿システム。
【請求項５】
時間を計測する計測手段と、前記第一の空気流入口および前記第一の空気放出口を開状態とする時間帯を定めた時間帯情報を記憶する記憶手段とをさらに備え、
前記切替制御部は、前記記憶手段に記憶された時間帯情報に基づいて、前記第一および第二の送風装置の何れか一方を作動させる、請求項３または４に記載の調湿システム。
【請求項６】
湿度を計測する湿度計測手段と、前記第一の空気流入口および前記第一の空気放出口を開状態とする湿度を定めた湿度情報を記憶する記憶手段とをさらに備え、
前記切替制御部は、前記記憶手段に記憶された湿度情報に基づいて、前記第一および第二の送風装置の何れか一方を作動させる、請求項３または４に記載の調湿システム。
【請求項７】
温度を計測する温度計測手段と、前記第一の空気流入口および前記第一の空気放出口を開状態とする温度を定めた温度情報を記憶する記憶手段とをさらに備え、
前記切替制御部は、前記記憶手段に記憶された温度情報に基づいて、前記第一および第二の送風装置の何れか一方を作動させる、請求項３または４に記載の調湿システム。
【請求項８】
前記区画室は、前記屋内空間と前記小屋裏空間との境界部に配置される、請求項１〜７の何れかに記載の調湿システム。
【発明の詳細な説明】
【技術分野】
【０００１】
本発明は、調湿システムに関し、特に、建物の屋内空間の空気を除湿する調湿システムに関する。
【背景技術】
【０００２】
屋内空間の空気を除湿するシステムとして、例えば、特開平８-２３２３８４号公報（特許文献１）および特開２０１５‐０６６４７２号公報（特許文献２）に記載の調湿システムが挙げられる。
【０００３】
特許文献１には、吸放湿性フィラーを含む多孔性繊維質の調湿パネルを天井材とし、この天井材と天井下地材との間に屋内空間から小屋裏側に連通する通気層を設けるとともに、小屋裏に換気口を設けていることが開示されている。
【０００４】
この種の調湿システムでは、屋内空間の空気の湿度変化が、天井材としての吸放湿性フィラーを含む多孔性繊維質の調湿パネルの吸放湿によって緩和される。また、小屋裏側へ通気する通気層によって、屋内空間の暖められた空気は小屋裏に流れて換気口より屋外に排出され自然換気されている。
【０００５】
また、特許文献２には、屋内空間の空気を吸引すると共に、吸引した空気を屋内空間へ排出する屋内空間空気流路と、屋内空間空気流路に設けられた調湿材とを備えた調湿システムが開示されている。
【０００６】
この種の調湿システムでは、屋根裏空間の空気を吸引するとともに、吸引した空気を調湿材へ送るための屋根裏空間流路をさらに備えている。かかる調湿システムでは、調湿材を境界として、二つの空気流路は、異なる空間に設けられている。
【先行技術文献】
【特許文献】
【０００７】
【特許文献１】特開平８-２３２３８４号公報
【特許文献２】特開２０１５‐０６６４７２号公報
【発明の概要】
【発明が解決しようとする課題】
【０００８】
しかしながら、上記特許文献１に記載の調湿システムでは、屋内空間の湿度が高い状況が続くと、天井材の調湿パネルが飽和状態となり、屋内空間の空気を除湿できないため、調湿効果の維持が困難となる可能性があった。
【０００９】
また、上記特許文献２に記載の調湿システムでは、上述のように、二つの空気流路は、異なる空間に設けられるため、屋内空間の空気をより効率的に除湿できる調湿システムが望まれている。
【００１０】
そこで、本発明は、斯かる実情に鑑み、簡単な構成で調湿効果を持続させることができ、屋内空間の空気をより効率的に除湿できる調湿システムを提供することを目的とする。
【課題を解決するための手段】
【００１１】
本発明に係る調湿システムは、建物の屋内空間の湿度を調整する調湿システムであって、前記屋内空間に連通する区画室と、前記区画室の内部空間に配置された調湿材と、を備え、前記区画室は、前記屋内空間の空気を前記内部空間に流入させる第一の空気流入口と、前記内部空間の空気を前記屋内空間に放出する第一の空気放出口と、前記内部空間に連通する小屋裏空間の空気を前記内部空間に流入させる第二の空気流入口と、前記内部空間の空気を前記小屋裏空間又は屋外に放出する第二の空気放出口と、を有しており、前記屋内空間から前記内部空間への空気の流入を遮断する第一の遮断手段と、前記小屋裏空間から前記内部空間への空気の流入を遮断する第二の遮断手段と、をさらに備える、ことを特徴とする。
【００１２】
上記構成の調湿システムによれば、区画室は、屋内空間の空気を内部空間に流入させる第一の空気流入口と、内部空間の空気を屋内空間に放出する第一の空気放出口と、内部空間に連通する小屋裏空間の空気を内部空間に流入させる第二の空気流入口と、内部空間の空気を小屋裏空間又は屋外に放出する第二の空気放出口と、を有しており、前記屋内空間から前記内部空間への空気の流入を遮断する第一の遮断手段と、前記小屋裏空間から前記内部空間への空気の流入を遮断する第二の遮断手段と、をさらに備えるため、例えば、夏場の昼間等の屋内空間の湿度が高い場合、第二の遮断手段が閉じられた状態で、第一の空気流入口および第一の空気放出口によって屋内空間から内部空間内に屋内空間の空気を取り入れ、内部空間に設けられた調湿材によって調湿（除湿）された空気を屋内空間に放出させる。
【００１３】
また、小屋裏空間の空気の温度は日中の屋内空間に比べ比較的高く、相対湿度は低くなっている。そこで、例えば、夏場の夜間や午前中等の小屋裏空間の湿度が比較的低い場合には、第一の遮断手段が閉じられた状態で、第二の空気流入口および第二の空気放出口によって小屋裏空間から内部空間内に小屋裏空間の高温な空気を取り入れ、調湿材を乾燥させ、吸湿後の空気を小屋裏空間又は屋外に放出させる。
【００１４】
そうすることで、第一の空気流入口および第一の空気放出口と、第二の空気流入口および第二の空気放出口と、第一の遮断手段および第二の遮断手段といった簡単な構成で、屋内空間の空気を除湿でき、調湿効果を持続させることができる。
【００１５】
本発明の一態様として、前記第一の遮断手段は、前記第一の空気流入口および前記第一の空気放出口を開閉する第一の開閉手段を含み、前記第二の遮断手段は、前記第二の空気流入口および前記第二の空気放出口を開閉する第二の開閉手段を含み、前記第一の開閉手段が開状態である場合は、前記第二の開閉手段が閉状態となり、前記第一の開閉手段が閉状態である場合は、前記第二の開閉手段が開状態となるように、前記区画室における空気の出入口を切替える切替制御部をさらに備える、のが好ましい。
【００１６】
上記構成の調湿システムによれば、第一の開閉手段が開状態である場合は、第二の開閉手段が閉状態となり、第一の開閉手段が閉状態である場合は、第二の開閉手段が開状態となるように、前記区画室における空気の出入口を切替える切替制御部をさらに備えるため、第一の空気流入口から流入する屋内空間の空気と、第二の空気流入口から流入する小屋裏空間の空気とが、共通の内部空間を通っても、調湿材による屋内空間の空気の吸湿と、調湿材の乾燥とを、適切に行うことができる。
【００１７】
そして、例えば、上述のように、夏場の昼間等の屋内空間の湿度が高い場合、切替制御部は、第二の開閉手段を閉状態のままで、第一の開閉手段を開状態とし、第一の空気流入口から第一の空気放出口に空気の流れを生じさせる。
【００１８】
また、小屋裏空間の湿度が屋内空間の湿度より低い場合、切替制御部は、第一の開閉手段を閉状態のままで、第二の開閉手段を開状態とし、第二の空気流入口から第二の空気放出口に空気の流れを生じさせることができる。これにより、切替制御部によって第一の開閉手段と、第二の開閉手段と、を開閉させるといった簡単な制御によって、第一の空気流入口から第一の空気放出口への空気の流れと、第二の空気流入口から第二の空気放出口への空気の流れとを切り替えることができ、調湿効果をより効率的に持続させることができる。
【００１９】
本発明の一態様として、前記第一の開閉手段は、前記第一の空気流入口および前記第一の空気放出口の何れか一方に、前記第一の空気流入口から前記第一の空気放出口に空気の流れを生じさせる第一の送風装置と、前記第一の空気流入口および前記第一の空気放出口の他方に、前記第一の送風装置に連動して開閉する第一の開閉弁と、を含み、前記第二の開閉手段は、前記第二の空気流入口および前記第二の空気放出口の何れか一方に、前記第二の空気流入口から前記第二の空気放出口に空気の流れを生じさせる第二の送風装置と、前記第二の空気流入口および前記第二の空気放出口の他方に、前記第二の送風装置に連動して開閉する第二の開閉弁と、を含む、のが好ましい。
【００２０】
上記構成の調湿システムによれば、第一の開閉手段において、第一の空気流入口および第一の空気放出口の一方に設けられた第一の送風装置に連動して、第一の空気流入口および第一の空気放出口の他方に設けられた第一の開閉弁が開くようになるため、第一の開閉弁を作動する手段を別途設ける必要がなく、構成をより簡単にできるとともに、コストを削減することができる。
【００２１】
また、第二の開閉手段において、第二の空気流入口および第二の空気放出口の一方に設けられた第二の送風装置に連動して、第二の空気流入口および第二の空気放出口の他方に設けられた第二の開閉弁が開くようになるため、第二の開閉弁を作動する手段を別途設ける必要がなく、構成をより簡単にできるとともに、コストを削減することができる。
【００２２】
本発明の一態様として、前記第一および第二の送風装置は、第一および第二のファンと、該第一および第二のファンに連動して開閉する第一および第二の開閉部と、をそれぞれ含む、のが好ましい。
【００２３】
上記構成の調湿システムによれば、第一および第二のファンに連動して第一および第二の開閉部が開閉するため、第一および第二のファンの作動時に第一および第二の開閉部が開かれ、第一および第二のファンの非作動時に第一および第二の開閉部が閉じられる。これにより、第一および第二の開閉部を作動する手段を別途設ける必要がなく、構成をより簡単にできるとともに、コストを削減することができる。さらに、切替制御部は、ファンのＯＮ／ＯＦＦを制御するだけで、区画室における空気の出入口を切替えることができる。
【００２４】
本発明の一態様として、時間を計測する計測手段と、前記第一の空気流入口および前記第一の空気放出口を開状態とする時間帯を定めた時間帯情報を記憶する記憶手段とをさらに備え、前記切替制御部は、前記記憶手段に記憶された時間帯情報に基づいて、前記第一および第二の送風装置の何れか一方を作動させる、のが好ましい。
【００２５】
上記構成の調湿システムによれば、例えば、上述のように、夏場の昼間等の屋内空間の湿度が高い時間帯、および夜間や午前中等の小屋裏空間の湿度が比較的低い時間帯を、記憶手段に記憶させる。そして、切替制御部は、計時部からの出力により現在時刻を判断し、時間帯情報に基づいて、夏場の昼間等の屋内空間の湿度が高い時間帯には、第一の空気流入口および第一の空気放出口を開状態とすることによって屋内空間の空気を除湿し、夜間や午前中等の小屋裏空間の湿度が比較的低い時間帯には、第二の空気流入口および第二の空気放出口を開状態とすることによって、調湿材を乾燥させることができる。
【００２６】
これにより、第一の空気流入口から第一の空気放出口への空気の流れと、第二の空気流入口から第二の空気放出口への空気の流れとを、時間帯に応じて容易に切り替えることができ、屋内空間の空気をより効率的に除湿でき、調湿効果をさらにより効率的に持続させることができる。
【００２７】
本発明の他の態様として、湿度を計測する湿度計測手段と、前記第一の空気流入口および前記第一の空気放出口を開状態とする湿度を定めた湿度情報を記憶する記憶手段とをさらに備え、前記切替制御部は、前記記憶手段に記憶された湿度情報に基づいて、前記第一および第二の送風装置の何れか一方を作動させる、のが好ましい。
【００２８】
上記構成の調湿システムによれば、所定の湿度を湿度記憶手段に記憶させ、屋内空間の空気の湿度が所定の湿度以上である場合、切替制御部は、第一の空気流入口および第一の空気放出口を開状態とすることによって、屋内空間の空気を除湿し、屋内空間の湿度が所定の湿度未満の場合、切替制御部は、第二の空気流入口および第二の空気放出口を開状態とすることによって、調湿材を乾燥させることができる。
【００２９】
これにより、第一の空気流入口から第一の空気放出口への空気の流れと、第二の空気流入口から第二の空気放出口への空気の流れとを、屋内空間の湿度によって容易に切り替えることができ、屋内空間の空気をより効率的に除湿でき、調湿効果をさらにより効率的に持続させることができる。
【００３０】
本発明の他の態様として、温度を計測する温度計測手段と、前記第一の空気流入口および前記第一の空気放出口を開状態とする温度を定めた温度情報を記憶する記憶手段とをさらに備え、前記切替制御部は、前記記憶手段に記憶された温度情報に基づいて、前記第一および第二の送風装置の何れか一方を作動させる、のが好ましい。
【００３１】
上記構成の調湿システムによれば、所定の小屋裏空間の温度を温度記憶手段に記憶させ、小屋裏空間の温度が所定の温度以上である場合、切替制御部は、第二の空気流入口および第二の空気放出口を開状態とすることによって、調湿材を乾燥させることができ、小屋裏空間の温度が所定の温度未満の場合、切替制御部は、第一の空気流入口および第一の空気放出口を開状態とすることによって、屋内空間の空気を除湿することができる。
【００３２】
これにより、第一の空気流入口から第一の空気放出口への空気の流れと、第二の空気流入口から第二の空気放出口への空気の流れとを、屋内空間の湿度によって容易に切り替えることができ、屋内空間の空気をより効率的に除湿でき、調湿効果をさらにより効率的に持続させることができる。
【００３３】
本発明のさらに他の態様として、前記区画室は、前記屋内空間と前記小屋裏空間との境界部に配置される、のが好ましい。
【００３４】
上記構成の調湿システムによれば、区画室は、屋内空間と小屋裏空間との境界部に配置されるため、屋内空間の空気の流入、放出、および小屋裏空間の空気の流入、放出を、ダクト等を用いることなく効率的に行うことができる。
【発明の効果】
【００３５】
以上のように、本発明の調湿システムによれば、簡単な構成で調湿効果を持続させることができ、屋内空間の空気をより効率的に除湿できる、といった優れた効果を奏し得る。
【図面の簡単な説明】
【００３６】
【図１】本発明の一実施形態に係る調湿システムの概要を示す図であって、区画室が建物の屋内空間の非居室に配置されている様子を示す図である。
【図２】同実施形態に係る調湿システムの概略構成を示す断面図である。
【図３】同実施形態に係る調湿システムにおいて、第二の空気流路を示す図である。
【図４】同実施形態に係る調湿システムにおいて、第一の空気流路を示す図である。
【図５】同実施形態に係る調湿システムの機能構成を示すブロック図である。
【図６】同実施形態に係る調湿システムにおいて、時間帯情報に基づいて空気流路を切り替えるためのタイムチャートである。
【図７】同実施形態において、区画室が小屋裏に設置され、第二の空気流路が屋外に放出される様子を示す図である。
【図８】同実施形態に係る調湿システムを用いた場合の屋内空間の除湿効果を示すグラフである。
【発明を実施するための形態】
【００３７】
以下、本発明の一実施形態に係る調湿システムの概略について、添付図面を参照して説明する。
【００３８】
本実施形態に係る調湿システムは、例えば、住宅等の建物の屋内空間や小屋裏空間等に配置され、建物の屋内空間の湿度を調整するためのものである。なお、本実施形態では、図１に示すように、屋内空間Ａと小屋裏空間Ｂとは、天井Ｃで仕切られている。
【００３９】
図１〜４に示すように、調湿システム１００は、建物２００内に配置され、屋内空間Ａに連通する区画室１１と、該区画室１１の内部空間Ｄに配置された調湿材１２と、を備える。
【００４０】
本実施形態において、区画室１１は、建物２００の屋内空間Ａと小屋裏空間Ｂとの境界部に配置されている。屋内空間Ａは、天井Ｃの下方に位置し、互いに隣接する居室Ｅ１と、非居室Ｅ２とを含む。非居室Ｅ２は、例えば、クローゼットや押入れ等の収納部である。本実施形態において、区画室１１は、屋内空間Ａのうちの非居室Ｅ２に配置されている。
【００４１】
区画室１１は、例えば、略直方体形状の筐体で構成され、その上面部１１ａが天井Ｃの下面に接して配置されている。本実施形態において、区画室１１は、略直方体形状の筐体としているが、これに限定されるものではない。例えば、区画室１１は、筒状に形成されてもよい。
【００４２】
本実施形態では、調湿材１２は、区画室１１の中央部に水平に配置されている。
【００４３】
調湿システム１００は、一つの調湿材１２を備える。本実施形態では、調湿システム１００は、一つの調湿材１２を備えているが、これに限定されるものではなく、例えば、調湿システム１００は、二つ以上の調湿材１２を備えてもよい。
【００４４】
調湿材１２は、一方表面１２ａと、この一方表面１２ａと反対側の他方表面１２ｂとを有する板状である。調湿材１２は、吸湿と放湿とを繰り返し行うことができる材料で構成された調湿建材を含む。調湿建材としては、例えば、ゼオライト、珪藻土、シリカゲル、木炭、珪藻土カルシウムなどを用いることができる。
【００４５】
また、調湿材１２は、吸湿量を増加させるために、一方表面１２ａおよび他方表面１２ｂの表面積を増加させる観点から、一方表面１２ａおよび他方表面１２ｂに凹凸が形成されていてもよい。調湿材１２は、区画室１１を構成する筐体の内面とは非接触状態で配置される。
【００４６】
本実施形態では、区画室１１は、屋内空間Ａの空気を内部空間Ｄに流入させる第一の空気流入口１３と、内部空間Ｄの空気を屋内空間Ａに放出する第一の空気放出口１４と、内部空間Ｄに連通する小屋裏空間Ｂの空気を内部空間Ｄに流入させる第二の空気流入口１５と、内部空間Ｄの空気を小屋裏空間Ｂ又は屋外Ｆに放出する第二の空気放出口１６と、を有する。
【００４７】
第一の空気流入口１３は、屋内空間Ａに連通し、調湿システム１００の区画室１１の下面部１１ｂに設けられている。第一の空気放出口１４は、屋内空間Ａに連通し、調湿システム１００の区画室１１の側面部１１ｃに設けられている。本実施形態では、第一の空気放出口１４は、居室Ｅ１と非居室Ｅ２とを仕切る仕切り壁Ｗに設けられた貫通孔に連通している。
【００４８】
第二の空気流入口１５および第二の空気放出口１６は、小屋裏空間Ｂに連通し、区画室１１の上面部１１ａに設けられている。本実施形態では、第二の空気流入口１５および第二の空気放出口１６は、天井Ｃに設けられた二つの貫通孔にそれぞれ連通している。
【００４９】
本実施形態では、屋内空間Ａから内部空間Ｄへの空気の流入を遮断する第一の遮断手段１７と、小屋裏空間Ｂから内部空間Ｄへの空気の流入を遮断する第二の遮断手段１８と、をさらに備える。
【００５０】
第一の遮断手段１７は、第一の空気流入口１３および第一の空気放出口１４を開閉する第一の開閉手段１９を含む。第二の遮断手段１８は、第二の空気流入口１５および第二の空気放出口１６を開閉する第二の開閉手段２０を含む。
【００５１】
第一の開閉手段１９（第一の空気流入口１３および第一の空気放出口１４）が開状態である場合は、第二の開閉手段２０（第二の空気流入口１５および第二の空気放出口１６）が閉状態となり、第一の開閉手段１９（第一の空気流入口１３および第一の空気放出口１４）が閉状態である場合は、第二の開閉手段２０（第二の空気流入口１５および第二の空気放出口１６）が開状態となるように、区画室１１における空気の出入口が切替えられる。このような区画室１１における空気の出入口の切替は、後述の切替制御部２１によって行われる。
【００５２】
本実施形態では、第一の開閉手段１９は、第一の空気流入口１３に、第一の空気流入口１３から第一の空気放出口１４に空気の流れを生じさせる第一の送風装置２２と、第一の空気放出口１４に、第一の送風装置２２に連動して開閉する第一の開閉弁２３と、を含む。第一の開閉弁２３は、区画室１１の内部空間Ｄが正圧の場合に開く正圧ダンパである。
【００５３】
第一の送風装置２２は、第一のファン２２ａと、該第一のファン２２ａに連動して開閉する第一の開閉部（シャッター）２２ｂと、を含む。より具体的には、第一の送風装置２２は、シャッター２２ｂ付きファンである。第一の送風装置２２は、作動時（回転時）にシャッター２２ｂが開き、非作動時にシャッター２２ｂが閉じるように形成されている。
【００５４】
本実施形態では、第一の開閉手段１９が開状態とは、第一の送風装置２２の第一のファン２２ａが作動することにより、シャッター２２ｂが開き、かつ第一の開閉弁２３が開いた状態をいう。第一の開閉手段１９が閉状態とは、第一の送風装置２２の第一のファン２２ａの作動が停止されることにより、シャッター２２ｂが閉じ、かつ第一の開閉弁２３が閉じた状態をいう。
【００５５】
なお、本実施形態では、屋内空間Ａに連通する第一の空気流入口１３から内部空間Ｄを通って第一の空気放出口１４に至る空気の通路を、第一の空気流路２４という。そのため、第一の空気流路２４においては、第一の空気流入口１３から屋内空間Ａの空気が内部空間Ｄに流入され、内部空間Ｄで調湿材１２によって調湿され、調湿後の空気が第一の空気放出口１４から屋内空間Ａに放出される。
【００５６】
また、本実施形態では、第二の開閉手段２０において、第二の空気放出口１６に、第二の空気流入口１５から第二の空気放出口１６に空気の流れを生じさせる第二の送風装置２５と、第二の空気流入口１５に、第二の送風装置２５に連動して開閉する第二の開閉弁２６と、を含む。第二の開閉弁２６は、区画室１１の内部空間Ｄが負圧の場合に開く負圧ダンパである。
【００５７】
第二の送風装置２５は、第二のファン２５ａと、該第二のファン２５ａに連動して開閉する第二の開閉部（シャッター）２５ｂと、を含む。より具体的には、第二の送風装置２５は、シャッター２５ｂ付きファンである。第二の送風装置２５は、作動時（回転時）にシャッター２５ｂが開き、非回転時にシャッター２５ｂが閉じるように形成されている。
【００５８】
本実施形態では、第二の開閉手段２０が開状態とは、第二の送風装置２５の第二のファン２５ａが作動することにより、シャッター２５ｂが開き、かつ第二の開閉弁２６が開いた状態をいう。第二の開閉手段２０が閉状態とは、第二の送風装置２５の第二のファン２５ａの作動が停止されることにより、シャッター２５ｂが閉じ、かつ第二の開閉弁２６が閉じた状態をいう。
【００５９】
なお、本実施形態では、小屋裏空間Ｂに連通する第二の空気流入口１５から内部空間Ｄを通って第二の空気放出口１６に至る空気の通路を、第二の空気流路２７という。そのため、第二の空気流路２７においては、第二の空気流入口１５から内部空間Ｄに連通する小屋裏空間Ｂの空気が内部空間Ｄに流入され、内部空間Ｄで調湿材１２によって調湿され、調湿後の空気が第二の空気放出口１６から小屋裏空間Ｂ又は屋外Ｆ（図７を参照のこと）に放出される。
【００６０】
図５に示すように、本実施形態に係る調湿システムは、制御装置２８を備える。該制御装置２８は、切替制御部２１と、記憶手段としてのメモリ２９と、時間を計測する計測手段としての計時部３０と、を含む。切替制御部２１は、例えば、マイクロコンピュータにより構成される。メモリ２９は、不揮発性のメモリであり、計時部３０は、時間を計測するクロックである。
【００６１】
メモリ２９は、第一の開閉手段１９を開状態とする時間帯を定めた時間帯情報を記憶する。切替制御部２１は、メモリ２９に記憶された時間帯情報に基づいて、第一の送風装置２２の第一のファン２２ａおよび第二の送風装置２５の第二のファン２５ａの何れか一方を作動させる。
【００６２】
本実施形態において、切替制御部２１は、計時部３０からの出力により得られる現在時刻とメモリ２９に記憶された時間帯情報とに基づいて、第一の空気流路２４と第二の空気流路２７とを切り替えるようになっている。本実施形態において、時間帯情報として、例えば、第一の空気流路２４を開状態とする時間帯（第一時間帯）と、第二の空気流路２７を開状態とする時間帯（第二時間帯）とが、それぞれメモリ２９に記憶されている。あるいは、第二時間帯のみがメモリ２９に記憶されてもよい。
【００６３】
本実施形態に係る調湿システム１００の構成についての説明は以上の通りであり、次に、本実施形態に係る調湿システム１００を用いて屋内空間Ａを除湿（調湿）する場合について、図２〜図６を参照して説明する。
【００６４】
例えば、屋内空間Ａにおける真夏の熱中症を防ぐために、図６のタイムチャートに示すように、所定のタイミングで、第一の空気流路２４と第二の空気流路２７とを切り替えることで、調湿システム１００を用いて屋内空間Ａを除湿（調湿）する。なお、調湿開始前は、第一の開閉手段１９と、第二の開閉手段２０との双方が閉状態であるものとする。
【００６５】
時間帯情報に基づいて、例えば、午前７時〜午後１２時まで間、第二の空気流入口１５から第二の空気放出口１６への空気の流れを生じさせ、第二の空気流路２７によって内部空間Ｄ内の調湿材１２を乾燥させる（第一時間帯ＴＡ１，ＴＡ２）。午後１２時〜午前７時までの間、第一の空気流入口１３から第一の空気放出口１４への空気の流れを生じさせ、第一の空気流路２４によって屋内空間Ａの空気を除湿乾燥させる（第二時間帯ＴＢ１，ＴＢ２）。
【００６６】
より具体的には、切替制御部２１は、調湿開始時に、計時部３０により計時された時間が午前７時であるとすると、第二の空気放出口１６の第二のファン２５ａを作動させる。そうすることで、シャッター２５ｂが開き、内部空間Ｄの空気が第二の空気放出口１６から小屋裏空間Ｂに放出される。これにより、内部空間Ｄ内は負圧となる。この状態では、第二の空気流入口１５の第二の開閉弁２６が内部空間Ｄの内側に向けて開かれるようになる（図３を参照のこと）。したがって、第二の空気流入口１５および第二の空気放出口１６が開状態となり、第二の空気流入口１５から内部空間Ｄ内に、小屋裏空間Ｂの高温で乾燥した空気が流入される。
【００６７】
第二の空気流路２７上に調湿材１２が位置するため、該調湿材１２の両面１２ａ，１２ｂに高温で乾燥した空気が当たる。そして、調湿材１２に含まれる湿気を吸湿した空気を、第二の空気放出口１６の第二のファン２５ａから小屋裏空間Ｂに放出させる。これにより、調湿材１２が乾燥される。
【００６８】
その後、計時部３０により計時された時間が午後１２時になると、第二のファン２５ａの作動を停止し、第一のファン２２ａを作動させる。そうすると、第二のファン２５ａのシャッター２５ｂが閉じるため、第二の空気流入口１５の第二の開閉弁２６が内部空間Ｄの外側（小屋裏空間Ｂ側）に向けて閉じられる。また、第一のファン２２ａのシャッター２２ｂが開き、屋内空間Ａの空気が第一の空気流入口１３から内部空間Ｄに流入される。これにより、内部空間Ｄ内は正圧となる。この状態では、第一の空気放出口１４の第一の開閉弁２３が内部空間Ｄの外側（屋内空間Ａ側）に向けて開かれるようになる（図４を参照のこと）。したがって、第一の空気流入口１３および第一の空気放出口１４が開状態となり、第一の空気流入口１３から内部空間Ｄ内に、屋内空間Ａの空気が流入される。
【００６９】
第一の空気流路２４上に調湿材１２が位置するため、該調湿材１２の両面１２ａ，１２ｂに湿った空気が当たる。そして、湿った空気を調湿（吸湿）した空気を、第一の空気放出口１４の第一の開閉弁２３から屋内空間Ａに放出させる。第一時間帯ＴＡ１において、調湿材１２は十分に乾燥されているため、調湿材１２は適切に吸湿できる。その後、計時部３０により計時された時間が午前７時になると、第一の空気流入口１３の第一のファン２２ａの作動を停止し、再び第二のファン２５ａを作動させる。
【００７０】
この操作を、順次繰り返すことで、真夏の午前中（午前７時〜午後１２時）の間、第二の空気流路２７によって、調湿材１２を乾燥させることができ、真夏の昼間から翌朝（午後１２時〜午前７時）にかけて、第一の空気流路２４によって、屋内空間Ａの空気を除湿（吸湿）することができ、調湿効果を持続させることができる。
【００７１】
次に、本実施形態に係る調湿システム１００の効果について、実施例および比較例を挙げてさらに詳しく説明するが、これらに限定されるものではない。
【００７２】
（実施例）
本実施形態に係る調湿システム１００を用いた場合の調湿材１２の乾燥レベルｇ／ｍ２を、数日間測定した。その結果を図８（ａ）に示す。なお、図８（ａ）において横軸は、時間（日時）を示し、縦軸は乾燥レベルｇ／ｍ２を示す。また、図８（ａ）中の正の値は、調湿材１２が乾燥状態であることを示し、負の値は、調湿材１２が吸湿状態であることを示す。
【００７３】
図８（ａ）に示すように、第一の時間帯（ＴＡ１，ＴＡ２，ＴＡ３・・・）は、調湿材１２の乾燥期間であるため、乾燥レベルｇ／ｍ２は、正の高い値となっている。これに対して、第二の時間帯（ＴＢ１，ＴＢ２，ＴＢ３・・・）は、屋内空間Ａの除湿期間であるため、一部を除き乾燥レベルｇ／ｍ２は、負の値となっている。
【００７４】
この結果から、本実施例において、第一の時間帯（ＴＡ１，ＴＡ２，ＴＡ３・・・）では、小屋裏空間Ｂ側の第二の開閉手段２０（第二の空気流入口１５および第二の空気放出口１６）が開状態とされるため、内部空間Ｄ内で、調湿材１２が、十分に乾燥されるとともに、第二の時間帯（ＴＢ１，ＴＢ２，ＴＢ３・・・）では、屋内空間Ａ側の第一の開閉手段１９（第一の空気流入口１３および第一の空気放出口１４）が開状態とされるため、屋内空間Ａの調湿（除湿）が行われ、第一の時間帯（ＴＡ１，ＴＡ２，ＴＡ３・・・）および第二の時間帯（ＴＢ１，ＴＢ２，ＴＢ３・・・）に亘って、調湿効果が持続していることが分かる。
【００７５】
（比較例）
特許文献１に記載の調湿システムと同様のシステムを用いた場合（例えば、部屋の仕上げ材（壁）の調湿材１２の乾燥レベルｇ／ｍ２を、数日間測定した。その結果を図８（ｂ）に示す。なお、図８（ｂ）において横軸は、上記実施例と同様の時間（日時）を示し、縦軸は乾燥レベルｇ／ｍ２を示す。
【００７６】
図８（ｂ）に示すように、比較例では、乾燥レベルｇ／ｍ２が正の値となる期間が多く存在している。つまり、屋内空間Ａを除湿できず、加湿してしまう期間が多く存在している。日積算除湿量は、比較例では−８．３７ｇ／ｍ２日であり、本実施例の−１１８．１１ｇ／ｍ２日より少なくなっており、比較例では、調湿効果の維持が困難となる可能性が伺える。
【００７７】
以上のように、本実施形態に係る調湿システム１００によれば、夏場の昼間等の屋内空間Ａの湿度が高い場合、第二の遮断手段１８が閉じられた状態で、第一の空気流入口１３から第一の空気放出口１４への空気の流れを生じさせ、屋内空間Ａから内部空間Ｄ内に屋内空間Ａの空気を取り入れ、第一の空気流路２４によって、内部空間Ｄに設けられた調湿材１２で調湿（吸湿）された空気を屋内空間Ａに放出させる。
【００７８】
また、小屋裏空間Ｂの湿度が屋内空間Ａの湿度より低い場合には、第一の遮断手段１７が閉じられた状態で、第二の空気流入口１５から第二の空気放出口１６への空気の流れを生じさせ、小屋裏空間Ｂから内部空間Ｄ内に小屋裏空Ｂ間の高温で乾燥した空気を取り入れ、第二の空気流路２７によって、内部空間Ｄ内の調湿材１２を乾燥させ、吸湿した空気を小屋裏空間Ｂに放出させる。
【００７９】
そうすることで、第一の空気流入口１３および第一の空気放出口１４と、第二の空気流入口１５および第二の空気放出口１６と、第一の遮断手段１７および第二の遮断手段１８といった簡単な構成で、屋内空間Ａの空気を除湿でき、調湿効果を持続させることができる。
【００８０】
また、夏場の昼間等の屋内空間Ａの湿度が高い場合、切替制御部２１は、第二の開閉手段２０を閉状態のままで、第一の開閉手段１９を開状態とする。これにより、区画室１１の内部空間Ｄ内に、第一の空気流入口１３から第一の空気放出口１４に空気の流れが生じる。
【００８１】
そして、小屋裏空間のＢ湿度が屋内空間Ａの湿度より低い場合、切替制御部２１は、第一の開閉手段１９を閉状態のままで、第二の開閉手段２０を開状態とする。この結果、区画室１１の内部空間Ｄ内に、第二の空気流入口１５から第二の空気放出口１６に空気の流れが生じる。
【００８２】
これにより、切替制御部２１によって第一の開閉手段１９と、第二の開閉手段２０とを開閉させるといった簡単な制御によって、第一の空気流路２４と第二の空気流路２７とを選択的に形成することができ、調湿効果をより効率的に持続させることができる。
【００８３】
また、第一の空気流入口１３に設けられた第一の送風装置２２に連動して、第一の空気放出口１４に設けられた第一の開閉弁２３が開くようになるため、第一の開閉弁２３を作動する手段を別途設ける必要がなく、構成をより簡単にできるとともに、コストを削減することができる。
【００８４】
また、第二の空気放出口１６に設けられた第二の送風装置２５に連動して、第二の空気流入口１５に設けられた第二の開閉弁２６が開くようになるため、第二の開閉弁２６を作動する手段を別途設ける必要がなく、構成をより簡単にできるとともに、コストを削減することができる。
【００８５】
また、第一および第二のファン２２ａ，２５ａの作動時に第一および第二の開閉部（シャッター）２２ｂ，２５ｂが開かれ、第一および第二のファン２２ａ，２５ａの非作動時に第一および第二の開閉部（シャッター）２２ｂ，２５ｂが閉じられる。これにより、第一および第二の開閉部（シャッター）２２ｂ，２５ｂを作動する手段を別途設ける必要がなく、構成をより簡単にできるとともに、コストを削減することができる。さらに、切替制御部２１は、第一および第二のファン２２ａ，２５ａのＯＮ／ＯＦＦを制御するだけで、区画室１１における空気の出入口を切替えることができる。
【００８６】
また、第一の空気流入口１３から第一の空気放出口１４への空気の流れ（第一の空気流路２４）と、第二の空気流入口１５から第二の空気放出口１６への空気の流れ（第二の空気流路２７）とを、時間帯によって容易に切り替えることができ、屋内空間Ａの空気をより効率的に除湿でき、調湿効果をさらにより効率的に持続させることができる。
【００８７】
そして、区画室１１は、屋内空間Ａと小屋裏空間Ｂとの境界部に配置されるため、屋内空間Ａの空気の流入、放出、および小屋裏空間Ｂの空気の流入、放出を、ダクト等を用いることなく効率的に行うことができる。また、区画室１１が非居室Ｅ２に配置されているため、第一のファン２２ａおよび第二のファン２５ａの音が居室Ｅ１に漏れにくくなる。
【００８８】
尚、本発明の調湿システム１００は、上記実施形態に限定されるものではなく、本発明の要旨を逸脱しない範囲で適宜変更し得ることは勿論のことである。
【００８９】
上記実施形態において、調湿システム１００は、住宅等の建物２００の屋内空間Ａのうち非居室Ｅ２に配置されているが、これに限定されるものではなく、例えば、居室Ｅ１や小屋裏空間Ｂ等に配置されてもよい。つまり、内部空間Ｄ内において、第一の空気流路２４および第二の空気流路２７を形成することができ、調湿材１２によって屋内空間Ａの空気を除湿（吸湿）できるような配置であればよい。
【００９０】
上記実施形態において、調湿材１２は、例えば、区画室１１の上面部１１ａから吊下部材によって吊下されるようにしてもよい。つまり、調湿材１２は、第一の空気流路２４および第二の空気流路２７の何れにおいても、調湿材１２の両面１２ａ，１２ｂに空気が当たるように区画室１１に配置されていればよい。
【００９１】
上記実施形態において、調湿材１２は、板状であるが、これに限定されるものではない。調湿材１２は、第一の空気流路２４において屋内空間Ａの空気を除湿（吸湿）し、第二の空気流路２７において調湿（乾燥）されるような構成であればよい。
【００９２】
上記実施形態において、第一の空気流入口１３は、調湿システム１００の区画室１１の下面部１１ｂに設けられ、第一の空気放出口１４は、調湿システム１００の区画室１１の側面部１１ｃに設けられているが、これに限定されるものではない。第一の空気流入口１３から屋内空間Ａの空気を流入し、第一の空気放出口１４から調湿後の空気を屋内空間Ａに放出できるような構成であればよい。
【００９３】
上記実施形態において、第二の空気流入口１５および第二の空気放出口１６は、区画室１１の上面部１１ａに設けられているが、これに限定されるものではない。第二の空気流入口１５から小屋裏空間Ｂの空気を流入し、第二の空気放出口１６から調湿後の空気を小屋裏空間Ｂまたは屋外Ｆに放出できるような構成であればよい。
【００９４】
上記実施形態において、第一の空気流入口１３は、第一のファン２２ａを備え、第一の空気放出口１４は、第一のファン２２ａに連動して開閉可能な第一の開閉弁２３を備えるが、これに限定されるものではない。第一の空気放出口１４は、第一のファン２２ａを備え、第一の空気流入口１３は、第一のファン２２ａに連動して開閉可能な第一の開閉弁２３を備えるようにしてもよい。つまり、第一のファン２２ａおよび第一の開閉弁２３が連動して開閉されるような構成であればよい。又は、第一の開閉弁２３は、手動で、或いは、電動で開閉されるものであってもよい。
【００９５】
上記実施形態において、第二の空気放出口１６は、第二のファン２５ａを備え、第二の空気流入口１５は、第二のファン２５ａに連動して開閉可能な第二の開閉弁２６を備えるが、これに限定されるものではない。第二の空気流入口１５は、第二のファン２５ａを備え、第二の空気放出口１６は、第二のファン２５ａに連動して開閉可能な第二の開閉弁２６を備えるようにしてもよい。つまり、第二のファン２５ａおよび第二の開閉弁２６が連動して開閉されるような構成であればよい。又は、第二の開閉弁２６は、手動で、或いは、電動で開閉されるものであってもよい。
【００９６】
上記実施形態において、第二の空気流路２７を介して第二の空気放出口１６から小屋裏空間Ｂに調湿後の空気を放出するようにしたが、これに限定されるものではない。例えば、図７に示すように、第二の空気放出口１６にダクト３３を接続し、天井Ｃに設けられた穴からダクト３３を介して屋外Ｆに調湿後の空気を放出するようにしてもよい。
【００９７】
上記実施形態において、切替制御部２１は、時間帯情報に基づいて、第一の空気流路２４と第二の空気流路２７とを切り替えるようになっているが、これに限定されるものではない。
【００９８】
例えば、切替制御部２１は、湿度センサ３１が計測する屋内空間Ａの湿度に基づき第一の開閉手段１９と、第二の開閉手段２０との開閉を制御するようにしてもよい。この場合、メモリ２９には、第一の開閉手段１９を開状態とする湿度を定めた湿度情報が記憶されているものとする。例えば、メモリ２９には、第一の空気流路２４と第二の空気流路２７とを切替える湿度のしきい値（所定の湿度）が記憶される。
【００９９】
より具体的には、図５に示す湿度センサ３１により、屋内空間Ａの空気の湿度が所定の湿度以上である場合、切替制御部２１は、第一の開閉手段１９を開き、第二の開閉手段２０を閉じることで、第一の空気流路２４を形成する。また、屋内空間Ａの湿度が所定の湿度未満の場合、切替制御部２１は、第二の開閉手段２０を開き、第一の開閉手段１９を閉じることで、第二の空気流路２７を形成する。
【０１００】
これにより、第一の空気流路２４と第二の空気流路２７とを、屋内空間Ａの湿度によって容易に切り替えることができ、屋内空間Ａの空気をより効率的に除湿でき、調湿効果をさらにより効率的に持続させることができる。なお、切替制御部２１は、屋内空間Ａの湿度と小屋裏空間Ｂの湿度との比較結果に応じて切替制御を行ってもよい。
【０１０１】
或いは、切替制御部２１は、温度センサ３２が計測する小屋裏空間Ｂの温度に基づき、第一の開閉手段１９と、第二の開閉手段２０との開閉を制御するようにしてもよい。この場合、メモリ２９には第一の開閉手段１９を開状態とする温度を定めた温度情報が記憶されているものとする。例えば、メモリ２９には、第一の空気流路２４と第二の空気流路２７とを切替える温度のしきい値（所定の温度）が記憶される。
【０１０２】
より具体的には、図５に示す温度センサ３２により、小屋裏空間Ｂの温度が所定の温度以上である場合、切替制御部２１は、第二の開閉手段２０を開き、第一の開閉手段１９を閉じることで、第二の空気流路２７を形成する。また、小屋裏空間Ｂの温度が所定の温度未満の場合、切替制御部２１は、第一の開閉手段１９を開き、第二の開閉手段２０を閉じることで、第一の空気流路２４を形成する。
【０１０３】
これにより、第一の空気流路２４と第二の空気流路２７とを、小屋裏空間Ｂの温度によって容易に切り替えることができ、屋内空間Ａの空気をより効率的に除湿でき、調湿効果をさらにより効率的に持続させることができる。なお、切替制御部２１は、屋内空間Ａの温度と小屋裏空間Ｂの温度との比較結果に応じて切替制御を行ってもよい。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０５】
１１  区画室、１１ａ  上面部、１１ｂ  下面部、１１ｃ  側面、１２  調湿材、１２ａ  一方表面、１２ｂ  他方表面、１３  第一の空気流入口、１４  第一の空気放出口、１５  第二の空気流入口、１６  第二の空気放出口、１７  第一の遮断手段、１８  第二の遮断手段、１９  第一の開閉手段、２０  第二の開閉手段、２１  切替制御部、２２  第一の送風装置、２２ａ  第一のファン、２２ｂ  第一の開閉部（シャッター）、２３  第一の開閉弁、２４  第一の空気流路、２５  第二の送風装置、２５ａ  第二のファン、２５ｂ  第二の開閉部（シャッター）、２６  第二の開閉弁、２７  第二の空気流路、２８  制御装置、２９  メモリ、３０  計時部、３１  湿度センサ、３２  温度センサ、３３  ダクト、１００  調湿システム、２００  建物、Ａ  屋内空間、Ｂ  小屋裏空間、Ｃ  天井、Ｄ  内部空間、Ｅ１  居室、Ｅ２  非居室、Ｆ  屋外、Ｗ  仕切り壁。
【図１】
2017044381.tif 000003
【図２】
2017044381.tif 000004
【図３】
2017044381.tif 000005
【図４】
2017044381.tif 000006
【図５】
2017044381.tif 000007
【図６】
2017044381.tif 000008
【図７】
2017044381.tif 000009
【図８】
2017044381.tif 000010